(57)【要約】【課題】ＤＣバランスをとりつつ、局所的なコントラスト比の低下を生じさせない、多階調表示が可能な電気泳動表示装置の駆動方法等の提供。【解決手段】部分駆動方式で、第１の画像を構成する第１色または中間色を表示する領域ごとに、第２色との階調差に基づいて第１の画像を表示する第１画像表示工程Ｓ２と、第１の画像の背景である領域および第１の画像を構成し中間色を表示している領域ごとに、第１色との階調差に基づいて表示部の全画素を第１色にする第１画像消去工程Ｓ４と、第２の画像の背景となる領域および第２の画像を構成する中間色を表示すべき領域ごとに、第１色との階調差に基づいて第２の画像を表示する第２画像表示工程Ｓ６と、第２の画像を構成する第１色または中間色を表示する領域ごとに、第２色との階調差に基づいて、表示部の全画素を第２色にする第２画像消去工程Ｓ８と、を実行。【選択図】図１４
2014056038.tif 000002
【特許請求の範囲】
【請求項１】
一対の基板間に電気泳動粒子を含む電気泳動素子を狭持し、第１色、第２色および前記第１色と前記第２色の中間の色である中間色を１つ以上含むＭ階調表示（Ｍは３以上の整数）が可能な画素を有する表示部と、前記Ｍ階調に対応する駆動パルス信号を生成可能なパルス生成部とを含み、一方の前記基板と前記電気泳動素子との間に前記画素に対応する画素電極が形成され、他方の前記基板と前記電気泳動素子との間に、複数の前記画素電極と対向する共通電極が形成された電気泳動表示装置の駆動方法であって、
前記共通電極に前記駆動パルス信号に基づく電圧を印加し、複数の前記画素電極のそれぞれに前記駆動パルス信号の反転信号、または正転信号に基づく電圧を印加し、前記画素電極と前記共通電極との間に生じた電界によって前記電気泳動粒子を移動させることで前記表示部に表示される画像を書き換える部分駆動方式によって、第１の画像を構成する前記第１色または前記中間色を表示する領域ごとに、その領域が表示すべき前記第１色または前記中間色と前記第２色との階調差に応じた駆動エネルギーを有する前記駆動パルス信号を用いて、前記第１の画像を表示する第１画像表示工程と、
前記第１画像表示工程の後に、前記部分駆動方式によって、前記第１の画像の背景である領域および前記第１の画像を構成し前記中間色を表示している領域ごとに、その領域の表示色と前記第１色との階調差に応じた駆動エネルギーを有する前記駆動パルス信号を用いることで、前記第１画像表示工程と合わせた前記駆動パルス信号の駆動エネルギーが前記第２色と前記第１色との階調差に応じたものとなるようにして、前記表示部の全画素を前記第１色にする第１画像消去工程と、
前記第１画像消去工程の後に、前記部分駆動方式によって、表示すべき第２の画像の背景となる領域および前記第２の画像を構成する前記中間色を表示すべき領域ごとに、その領域が表示すべき前記第２色または前記中間色と前記第１色との階調差に応じた駆動エネルギーを有する前記駆動パルス信号を用いて、前記第２の画像を表示する第２画像表示工程と、
前記第２画像表示工程の後に、前記部分駆動方式によって、前記第２の画像を構成する前記第１色または前記中間色を表示する領域ごとに、その領域の表示色と前記第２色との階調差に応じた駆動エネルギーを有する前記駆動パルス信号を用いることで、前記第２画像表示工程と合わせた前記駆動パルス信号の駆動エネルギーが前記第１色と前記第２色との階調差に応じたものとなるようにして、前記表示部の全画素を前記第２色にする第２画像消去工程と、を含み、
前記第２画像消去工程の後に、次の前記第１画像表示工程が実行される、電気泳動表示装置の駆動方法。
【請求項２】
請求項１に記載の電気泳動表示装置の駆動方法において、
前記第１画像消去工程の後、前記第２画像表示工程の前に、前記表示部の全画素を前記第１色で表示させる第１単一色表示工程と、
前記第２画像消去工程の後、次の前記第１画像表示工程の前に、前記表示部の全画素を前記第２色で表示させる第２単一色表示工程と、を含む電気泳動表示装置の駆動方法。
【請求項３】
請求項１乃至２のいずれか１項に記載の電気泳動表示装置の駆動方法を実行する制御部を備える電気泳動表示装置。
【請求項４】
請求項３に記載の電気泳動表示装置において、
前記パルス生成部は、
前記駆動パルス信号の印加時間および印加電圧の少なくとも一方を調整することで、前記Ｍ階調に対応する前記駆動パルス信号を生成する電気泳動表示装置。
【請求項５】
請求項３乃至４のいずれか１項に記載の電気泳動表示装置を含む電子機器。
【請求項６】
請求項３乃至４のいずれか１項に記載の電気泳動表示装置を含む電子時計。
【発明の詳細な説明】
【技術分野】
【０００１】
本発明は、電気泳動表示装置の駆動方法、電気泳動表示装置、電子機器および電子時計等に関する。
【背景技術】
【０００２】
近年、電源を切っても画像を保持できるメモリー性を有する表示パネルが開発され、電子時計等の電子機器にも使用されている。メモリー性を有する表示パネルとしては、ＥＰＤ（Electrophoretic Display）すなわち電気泳動表示装置や、メモリー性液晶表示装置等が知られている。
【０００３】
電気泳動表示装置は、視野角の広さ、コントラスト比の高さ、柔軟性、低消費電力などの優れた利点がある。電気泳動表示装置は、例えば白色や黒色の帯電した電気泳動粒子を、印加した電界によって移動させることで画像を表示する。電気泳動表示装置では、電気泳動粒子の移動を調整することで、白色表示や黒色表示だけでなく中間色表示を含む多階調表示が可能になる。例えば特許文献１の発明では、オーバーリセットパルスで白色状態または黒色状態とした後に、逆方向の電界を印加するパルスを用いてダークグレーやライトグレーを表示する手法が説明されている。
【先行技術文献】
【特許文献】
【０００４】
【特許文献１】特表２００７−５０７７２９号公報
【特許文献２】特表２００５−５３０２０１号公報
【発明の概要】
【発明が解決しようとする課題】
【０００５】
一方で、特許文献２に記載されているように、電気泳動表示装置において電極間に印加される電界の時間平均がほぼゼロでなければ、装置の動作寿命が短くなる恐れがある。つまり、電気泳動表示装置の長期信頼性を確保するためには、ＤＣバランスがとられること、すなわち印加される電界の時間平均がほぼゼロになることが必要になる。
【０００６】
しかし、特許文献１には、パルスエネルギー（以下では、駆動エネルギーの語を用いる）の時間平均についての言及はなく、ＤＣバランスまで考慮されているわけではない。また、局所的なコントラスト比の低下を生じないために画面全体の駆動回数を一様にする必要があるが、特許文献１に画面全体の駆動回数についての記載はない。そして、画像の更新表示に要する時間を短くするためには駆動エネルギーを印加し過ぎないことが重要であるが、特許文献１の発明はオーバーリセットパルスによって基準の黒色状態または基準の白色状態へと遷移させる手順が必要である。
【０００７】
本発明はこのような問題点に鑑みてなされたものである。本発明のいくつかの態様によれば、ＤＣバランスをとりつつ、局所的なコントラスト比の低下を生じさせない、多階調表示が可能な電気泳動表示装置の駆動方法等を提供する。
【課題を解決するための手段】
【０００８】
（１）本発明は、一対の基板間に電気泳動粒子を含む電気泳動素子を狭持し、第１色、第２色および前記第１色と前記第２色の中間の色である中間色を１つ以上含むＭ階調表示（Ｍは３以上の整数）が可能な画素を有する表示部と、前記Ｍ階調に対応する駆動パルス信
号を生成可能なパルス生成部とを含み、一方の前記基板と前記電気泳動素子との間に前記画素に対応する画素電極が形成され、他方の前記基板と前記電気泳動素子との間に、複数の前記画素電極と対向する共通電極が形成された電気泳動表示装置の駆動方法であって、
前記共通電極に前記駆動パルス信号に基づく電圧を印加し、複数の前記画素電極のそれぞれに前記駆動パルス信号の反転信号、または正転信号に基づく電圧を印加し、前記画素電極と前記共通電極との間に生じた電界によって前記電気泳動粒子を移動させることで前記表示部に表示される画像を書き換える部分駆動方式によって、第１の画像を構成する前記第１色または前記中間色を表示する領域ごとに、その領域が表示すべき前記第１色または前記中間色と前記第２色との階調差に応じた駆動エネルギーを有する前記駆動パルス信号を用いて、前記第１の画像を表示する第１画像表示工程と、
前記第１画像表示工程の後に、前記部分駆動方式によって、前記第１の画像の背景である領域および前記第１の画像を構成し前記中間色を表示している領域ごとに、その領域の表示色と前記第１色との階調差に応じた駆動エネルギーを有する前記駆動パルス信号を用いることで、前記第１画像表示工程と合わせた前記駆動パルス信号の駆動エネルギーが前記第２色と前記第１色との階調差に応じたものとなるようにして、前記表示部の全画素を前記第１色にする第１画像消去工程と、
前記第１画像消去工程の後に、前記部分駆動方式によって、表示すべき第２の画像の背景となる領域および前記第２の画像を構成する前記中間色を表示すべき領域ごとに、その領域が表示すべき前記第２色または前記中間色と前記第１色との階調差に応じた駆動エネルギーを有する前記駆動パルス信号を用いて、前記第２の画像を表示する第２画像表示工程と、
前記第２画像表示工程の後に、前記部分駆動方式によって、前記第２の画像を構成する前記第１色または前記中間色を表示する領域ごとに、その領域の表示色と前記第２色との階調差に応じた駆動エネルギーを有する前記駆動パルス信号を用いることで、前記第２画像表示工程と合わせた前記駆動パルス信号の駆動エネルギーが前記第１色と前記第２色との階調差に応じたものとなるようにして、前記表示部の全画素を前記第２色にする第２画像消去工程と、を含み、
前記第２画像消去工程の後に、次の前記第１画像表示工程が実行される。
【０００９】
本発明の電気泳動表示装置の駆動方法によれば、Ｍ階調表示が可能な画素を有する表示部と、Ｍ階調に対応する駆動パルス信号を生成可能なパルス生成部とを含む電気泳動表示装置について、ＤＣバランスをとりつつ、局所的なコントラスト比の低下を生じさせない、多階調表示をさせることができる。ここで、Ｍは３以上の整数であって、表示部は第１色（例えば黒色）と第２色（例えば白色）とこれらの中間色（例えばグレー）の少なくとも１つを表示できる。パルス生成部では、Ｍ階調表示に対応する複数の駆動パルス信号を生成できる。
【００１０】
そして、本発明では部分駆動方式によって４つの工程を順に実行する。４つの工程は、第１の画像の表示色ごとの領域について所定の処理を実行して、第１の画像を表示させる第１画像表示工程、第１の画像の中間色で表示された領域と第１の画像の背景である領域について所定の処理を実行して表示部全体を第１色にする第１画像消去工程、第２の画像の背景である領域と第２の画像の中間色で表示される領域について所定の処理を実行して、第２の画像を表示させる第２画像表示工程、第２の画像について所定の処理を実行することで表示部全体を第２色にする第２画像消去工程、である。
【００１１】
また、部分駆動方式は、共通電極に第１の電位と第２の電位とを繰り返す駆動パルス信号に基づく電圧を印加し、複数の画素電極のそれぞれに駆動パルス信号の反転信号、または正転信号に基づく電圧を印加し、画素電極と共通電極との間に生じた電界によって電気泳動粒子を移動させることで表示部に表示される画像を書き換える。部分駆動方式では、表示部の全体だけでなく、書き換え対象である一部を描画することが可能である。
【００１２】
ここで、第１色とは例えば黒色であり、第２色とは例えば白色である。第１の画像、第２の画像は表示部の一部に表示される画像であって、文字、数字、文章、図形、記号、模様等のいずれかまたはこれらの組み合わせであってもよい。また、第１の画像、第２の画像は、第１画像表示工程、第２画像表示工程で表示される度に異なる文字、数字、文章、図形、記号、模様等に変化してもよい。第１の画像の背景、第２の画像の背景は、表示部におけるそれぞれ第１の画像以外の部分、第２の画像以外の部分をいう。
【００１３】
本発明の電気泳動表示装置の駆動方法では、表示する階調で分けられた領域ごとに適切な駆動パルス信号が選択される。このとき、第１画像表示工程で用いられる駆動パルス信号と第１画像消去工程で用いられる駆動パルス信号の駆動エネルギーを合わせると、第２色と第１色との階調差に応じた駆動エネルギー（より具体的には、第２色から第１色へと遷移した場合に対応する駆動エネルギー）となる。従って、中間色を表示する領域を含んでいても、第１画像表示工程と第１画像消去工程とで合わせて表示部全体を均一に第１色に表示することができる。
【００１４】
また、第２画像表示工程で用いられる駆動パルス信号と第２画像消去工程で用いられる駆動パルス信号の駆動エネルギーを合わせると、第１色と第２色との階調差に応じた駆動エネルギー（より具体的には、第１色から第２色へと遷移した場合に対応する駆動エネルギー）となる。従って、第２画像表示工程と第２画像消去工程とで合わせて表示部全体を均一に第２色に表示することができる。そして、これら４つの工程（第１画像表示工程、第１画像消去工程、第２画像表示工程、第２画像消去工程）でＤＣバランスをとることができる。
【００１５】
なお、駆動エネルギーとは共通電極と画素電極間の印加電圧と印加時間の積であり、電界の方向を表現するため正負の符号を付して表現してもよい。ある工程における駆動パルス信号の駆動エネルギーは、その工程における駆動パルス信号の印加時間を合計して、印加電圧と乗じることで求められる。
【００１６】
また、これら４つの工程において表示部全体に均一に電界が印加されるため、局所的なコントラスト比の低下は発生しない。さらに、４つの工程の全ては部分駆動方式によって実行されるため全面駆動方式に比べて表示画像の更新時間を短くすることができる。また、駆動エネルギーを印加し過ぎることもない。
【００１７】
よって、本発明の電気泳動表示装置の駆動方法は、多階調（３階調以上）表示でありながら、ＤＣバランスをとりつつ、局所的なコントラスト比の低下を生じさせない。そのため、長期信頼性を確保でき、表示品質や表現力を向上させることができる。
【００１８】
（２）この電気泳動表示装置の駆動方法において、前記第１画像消去工程の後、前記第２画像表示工程の前に、前記表示部の全画素を前記第１色で表示させる第１単一色表示工程と、
前記第２画像消去工程の後、次の前記第１画像表示工程の前に、前記表示部の全画素を前記第２色で表示させる第２単一色表示工程と、を含んでもよい。
【００１９】
本発明によれば、第１単一色表示工程および第２単一色表示工程を含むことで、第１の画像や第２の画像の輪郭部分に生じる境界線（以下、パターン境界線）がある場合にも、パターン境界線を目立たなくすることができる。
【００２０】
第１画像表示工程、第１画像消去工程では、部分駆動方式によって第１の画像を表示、消去する。また、第２画像表示工程、第２画像消去工程でも、部分駆動方式によって第２
の画像を表示、消去する。しかし、第１の画像、第２の画像を消去した後に、パターン境界線が視認されることがある。パターン境界線は、例えば後述する電気泳動粒子のうち最後に駆動された粒子の方が広がる性質等によって、期待される画素の大きさに応じた表示変化が起こらないために生じる。
【００２１】
本発明の電気泳動表示装置の駆動方法は、第１画像消去工程の後に、全画素を第１色で表示させる第１単一色表示工程を実行する。また、第２画像消去工程の後に、全画素を第２色で表示させる第２単一色表示工程を実行する。そのため、万一パターン境界線が生じても消去を行い、表示品質を向上させることができる。
【００２２】
第１単一色表示工程、第２単一色表示工程は、表示更新にかかる時間を短縮するために部分駆動方式で行われることが好ましいが、全面駆動方式でもよい。なお、第１単一色表示工程および第２単一色表示工程では、それぞれの工程で、複数回の単一色表示を行ってもよい。例えば、第１単一色表示工程において、全画素を第１色、第２色、第１色の順に表示してもよい。このとき、第２単一色表示工程においては、全画素を第２色、第１色、第２色の順に表示する。
【００２３】
なお、本発明の電気泳動表示装置の駆動方法では、第１単一色表示工程と第２単一色表示工程とでＤＣバランスがとられることになる。よって、本発明の電気泳動表示装置の駆動方法の全体としてもＤＣバランスがとられている。
【００２４】
（３）本発明は、前記電気泳動表示装置の駆動方法を実行する制御部を備える電気泳動表示装置であってもよい。
【００２５】
本発明によれば、電気泳動表示装置が含む制御部によって前記の駆動方法が実現される。そのため、本発明の電気泳動表示装置は、ＤＣバランスをとりつつ、局所的なコントラスト比の低下を生じさせず、多階調表示が可能になる。そのため、長期的信頼性に優れ、表示品質がよく、表現力に優れた電気泳動表示装置を実現できる。
【００２６】
（４）この電気泳動表示装置において、前記パルス生成部は、
前記駆動パルス信号の印加時間および印加電圧の少なくとも一方を調整することで、前記Ｍ階調に対応する前記駆動パルス信号を生成してもよい。
【００２７】
前記の電気泳動表示装置の駆動方法では、表示する階調で分けられた領域ごとに、適切な駆動パルス信号を選択する。ここで、適切な駆動パルス信号の選択とは、駆動パルス信号の駆動エネルギーについて、第１画像表示工程と第１画像消去工程とを合わせると第２色から第１色へと遷移した場合に対応する駆動エネルギーとなり、第２画像表示工程と第２画像消去工程とを合わせると第１色から第２色へと遷移した場合に対応する駆動エネルギーとなるように選択することを意味する。そして、前記のように駆動エネルギーは共通電極と画素電極間の印加電圧と印加時間の積である。
【００２８】
本発明によれば、パルス生成部は、駆動パルス信号の印加時間および印加電圧の少なくとも一方を調整することで、Ｍ階調に対応する駆動パルス信号を生成する。すなわち、パルス生成部は、駆動エネルギーを把握しつつ駆動パルス信号を生成できるので、階調数の増減に対しても柔軟に対応することができる電気泳動表示装置を実現できる。
【００２９】
（５）本発明は、前記電気泳動表示装置を含む電子機器であってもよい。
【００３０】
（６）本発明は、前記電気泳動表示装置を含む電子時計であってもよい。
【００３１】
これらの発明の電子機器、電子時計は、前記の電気泳動表示装置を用いることで、ＤＣバランスをとりつつ、局所的なコントラスト比の低下を生じさせず、多階調表示が可能になる。そのため、長期的信頼性に優れ、表示品質がよく、表現力に優れた電子機器、電子時計を実現できる。
【図面の簡単な説明】
【００３２】
【図１】第１実施形態における電気泳動表示装置のブロック図。
【図２】第１実施形態における電気泳動表示装置の画素の構成例を示す図。
【図３】図３（Ａ）は電気泳動素子の構成例を示す図。図３（Ｂ）、図３（Ｃ）は電気泳動素子の動作の説明図。
【図４】図４（Ａ）〜図４（Ｂ）は部分駆動方式の波形図と反射率を例示する図。
【図５】図５（Ａ）〜図５（Ｄ）は局所的なコントラスト比の低下を説明する図。
【図６】図６（Ａ）〜図６（Ｂ）は全面駆動方式の波形図、反射率の例。
【図７】図７（Ａ）〜図７（Ｅ）は全面駆動方式での残像発生を説明する図。
【図８】図８（Ａ）〜図８（Ｈ）は第１実施形態の表示例を示す図。
【図９】反射率と駆動エネルギーとの対応を例示する図。
【図１０】図１０（Ａ）〜図１０（Ｂ）は駆動エネルギーを説明するための図。
【図１１】図１１（Ａ）〜図１１（Ｈ）は第１実施形態の別の表示例を示す図。
【図１２】図１２（Ａ）〜図１２（Ｉ）は第１実施形態の時刻表示例を示す図。
【図１３】４階調表示の場合の反射率と駆動エネルギーとの対応を例示する図。
【図１４】第１実施形態のフローチャート。
【図１５】図１５（Ａ）〜図１５（Ｂ）は第１実施形態のサブルーチンのフローチャート。
【図１６】図１６（Ａ）〜図１６（Ｂ）は第１実施形態の別のサブルーチンのフローチャート。
【図１７】図１７（Ａ）〜図１７（Ｊ）は第２実施形態の表示例を示す図。
【図１８】第２実施形態のフローチャート。
【図１９】適用例の電子機器のブロック図。
【図２０】図２０（Ａ）は電子機器の一例である電子時計の図、図２０（Ｂ）は電子機器の一例である電子ペーパーの図。
【発明を実施するための形態】
【００３３】
１．第１実施形態
本発明の第１実施形態について図１〜図１６（Ｂ）を参照して説明する。第１実施形態の電気泳動表示装置は、文字、数字、写真、模様、イラスト等の様々な画像を表示可能であるとする。
【００３４】
１．１．電気泳動表示装置の構成
図１は、本実施形態のアクティブマトリックス方式の電気泳動表示装置１０の構成を示す図である。
【００３５】
電気泳動表示装置１０は、表示制御回路６０、表示部３を含む。表示制御回路６０は、表示部３を制御する制御部であり、走査線駆動回路６１、データ線駆動回路６２、コントローラー６３、共通電源変調回路６４、記憶部１６０を含む。
【００３６】
走査線駆動回路６１、データ線駆動回路６２、共通電源変調回路６４、記憶部１６０は、それぞれコントローラー６３と接続されている。コントローラー６３は、例えば時刻信号等の入力信号（図外）に基づいて、これらを総合的に制御する。
【００３７】
記憶部１６０は、例えばＶＲＡＭと、例えばフラッシュメモリー等の不揮発性メモリー
を含んでいてもよい（図外）。ＶＲＡＭは表示部３に表示させる画像のデータを記憶する。ＶＲＡＭは複数のバンクに分かれており、それぞれが個別のＶＲＡＭとして機能してもよい。また、不揮発性メモリーはＶＲＡＭに記憶されたデータを構成する要素のデータ（例えばパーツデータや背景データ）を記憶する。なお、記憶部１６０は、その他に例えばＳＲＡＭ、ＤＲＡＭ等を含んでいてもよい。
【００３８】
表示部３には、走査線駆動回路６１から延びる複数の走査線６６と、データ線駆動回路６２から延びる複数のデータ線６８とが形成されており、これらの交差位置に対応して複数の画素４０が設けられている。
【００３９】
走査線駆動回路６１は、ｍ本の走査線６６（Ｙ１、Ｙ２、…、Ｙｍ）により各画素４０に接続されている。走査線駆動回路６１は、コントローラー６３の制御に従って１行目からｍ行目までの走査線６６を順次選択することで、画素４０に設けられた駆動用ＴＦＴ４８（図２参照）のオンタイミングを規定する選択信号を供給する。
【００４０】
データ線駆動回路６２は、ｎ本のデータ線６８（Ｘ１、Ｘ２、…、Ｘｎ）により各画素４０に接続されている。データ線駆動回路６２は、コントローラー６３の制御に従って、画素４０のそれぞれに対応する１ビットの画像データを規定する画像信号を画素４０に供給する。なお、本実施形態では、画素データ「０」を規定する場合には、ローレベルの画像信号を画素４０に供給し、画素データ「１」を規定する場合には、ハイレベルの画像信号を画素４０に供給するものとする。
【００４１】
表示部３には、また、共通電源変調回路６４から延びる低電位電源線４９（Ｖｓｓ）、高電位電源線５０（Ｖｄｄ）、共通電極配線５５（Ｖｃｏｍ）、第１のパルス信号線９１（Ｓ１）、第２のパルス信号線９２（Ｓ２）が設けられており、それぞれの配線は画素４０と接続されている。共通電源変調回路６４は、コントローラー６３の制御に従って上記配線のそれぞれに供給する各種信号を生成する一方、これら各配線の電気的な接続および切断（ハイインピーダンス化、Ｈｉ−Ｚ）を行う。
【００４２】
本実施形態の電気泳動表示装置１０では、表示部３は白色、黒色、これらの中間色であるグレーの３階調（本発明のＭ＝３の場合に対応）の表示が可能であるとする。そして、共通電源変調回路６４は、後述する駆動パルス信号を、表示部３が表示可能な３階調に対応して例えば３種類以上生成することができる。本実施形態の電気泳動表示装置１０では、共通電源変調回路６４は本発明のパルス生成部として機能する。なお、例えば駆動パルス信号の波形を定義するためのテーブルが記憶部１６０に記憶されていてもよい。このとき、共通電源変調回路６４、記憶部１６０、コントローラー６３で本発明のパルス生成部を構成することになる。
【００４３】
１．２．画素部分の回路構成
図２は、図１の画素４０の回路構成図である。なお、図１と同じ配線には同じ番号を付しており、説明は省略する。また、全画素に共通の共通電極配線５５については記載を省略している。
【００４４】
画素４０には、駆動用ＴＦＴ（Thin Film Transistor）４８と、ラッチ回路７０と、スイッチ回路８０が設けられている。画素４０は、ラッチ回路７０により画像信号を電位として保持するＳＲＡＭ（Static Random Access Memory）方式の構成をとる。
【００４５】
駆動用ＴＦＴ４８は、Ｎ−ＭＯＳトランジスタからなる画素スイッチング素子である。駆動用ＴＦＴ４８のゲート端子は走査線６６に接続され、ソース端子はデータ線６８に接続され、ドレイン端子はラッチ回路７０のデータ入力端子に接続されている。ラッチ回路
７０は転送インバーター７０ｔと帰還インバーター７０ｆとを備えている。転送インバーター７０ｔ、帰還インバーター７０ｆには、低電位電源線４９（Ｖｓｓ）と高電位電源線５０（Ｖｄｄ）から電源電圧が供給される。
【００４６】
スイッチ回路８０は、トランスミッションゲートＴＧ１、ＴＧ２からなり、ラッチ回路７０に記憶された画素データのレベルに応じて、画素電極３５（図３（Ｂ）、図３（Ｃ）参照）に信号を出力する。なお、Ｖａは、１つの画素４０の画素電極へ供給される電位（信号）を意味する。
【００４７】
ラッチ回路７０に画素データ「１」（ハイレベルの画像信号）が記憶されて、トランスミッションゲートＴＧ１がオン状態となると、スイッチ回路８０はＶａとして信号Ｓ１を供給する。一方、ラッチ回路７０に画素データ「０」（ローレベルの画像信号）が記憶されて、トランスミッションゲートＴＧ２がオン状態となると、スイッチ回路８０はＶａとして信号Ｓ２を供給する。このような回路構成により、表示制御回路６０はそれぞれの画素４０の画素電極に対して供給する電位（信号）を制御することが可能である。
【００４８】
１．３．表示方式
本実施形態の電気泳動表示装置１０は、二粒子系マイクロカプセル型の電気泳動方式であるとする。分散液は無色透明、電気泳動粒子は白色または黒色のものであるとすると、白色または黒色の２色を基本色として少なくとも２色を表示できる。ここでは、電気泳動表示装置１０は、基本色として黒色と白色とを表示可能であるとして説明する。そして、黒色を表示している画素を白色で表示すること、または白色を表示している画素を黒色で表示することを反転と表現する。
【００４９】
図３（Ａ）は、本実施形態の電気泳動素子１３２の構成を示す図である。電気泳動素子１３２は素子基板１３０と対向基板１３１（図３（Ｂ）、図３（Ｃ）参照）との間に挟まれている。電気泳動素子１３２は、複数のマイクロカプセル１２０を配列して構成される。マイクロカプセル１２０は、例えば無色透明な分散液と、複数の白色の電気泳動粒子（白色粒子１２７）と、複数の黒色の電気泳動粒子（黒色粒子１２６）とを封入している。本実施形態では、例えば白色粒子１２７は負に帯電しており、黒色粒子１２６は正に帯電しているとする。
【００５０】
図３（Ｂ）は、電気泳動表示装置１０の表示部３の部分断面図である。素子基板１３０と対向基板１３１は、マイクロカプセル１２０を配列してなる電気泳動素子１３２を狭持している。表示部３（図１参照）は、素子基板１３０の電気泳動素子１３２側に、複数の画素電極３５が形成された駆動電極層３５０を含む。図３（Ｂ）では、画素電極３５として画素電極３５Ａと画素電極３５Ｂが示されている。画素電極３５により、画素ごとに電位を供給することが可能である（例えば、Ｖａ、Ｖｂ）。ここで、画素電極３５Ａを有する画素を画素４０Ａとし、画素電極３５Ｂを有する画素を画素４０Ｂとする。画素４０Ａ、画素４０Ｂは画素４０（図１、図２参照）に対応する２つの画素である。
【００５１】
一方、対向基板１３１は透明基板であり、表示部３において対向基板１３１側に画像表示がなされる。表示部３は、対向基板１３１の電気泳動素子１３２側に、平面形状の共通電極３７が形成された共通電極層３７０を含む。なお、共通電極３７は透明電極である。共通電極３７は、画素電極３５と異なり全画素に共通の電極であり、電位Ｖｃｏｍが供給される。
【００５２】
共通電極層３７０と駆動電極層３５０との間に設けられた電気泳動表示層３６０に電気泳動素子１３２が配置されており、電気泳動表示層３６０が表示領域となる。共通電極３７と画素電極（例えば、３５Ａ、３５Ｂ）との間の電位差に応じて、画素毎に所望の表示
色を表示させることができる。
【００５３】
図３（Ｂ）では、共通電極側の電位Ｖｃｏｍが画素４０Ａの画素電極の電位Ｖａよりも高電位である。このとき、負に帯電した白色粒子１２７が共通電極３７側に引き寄せられ、正に帯電した黒色粒子１２６が画素電極３５Ａ側に引き寄せられるため、画素４０Ａは白色を表示していると視認される。
【００５４】
図３（Ｃ）では、共通電極側の電位Ｖｃｏｍが画素４０Ａの画素電極の電位Ｖａよりも低電位である。このときは逆に、正に帯電した黒色粒子１２６が共通電極３７側に引き寄せられ、負に帯電した白色粒子１２７が画素電極３５Ａ側に引き寄せられるため、画素４０Ａは黒色を表示していると視認される。なお、図３（Ｃ）の構成は図３（Ｂ）と同様であり説明は省略する。また、図３（Ｂ）、図３（Ｃ）ではＶａ、Ｖｂ、Ｖｃｏｍを固定された電位として説明したが、実際にはＶａ、Ｖｂ、Ｖｃｏｍは時間とともに電位が変化する。以下では、電位Ｖａ、Ｖｂ、Ｖｃｏｍを与える信号をパルス信号という。そして、特に共通電極へのパルス信号を駆動パルス信号という。
【００５５】
ここで、図３（Ｂ）の後に、図３（Ｃ）の状態に変化したとする。このとき、画素４０Ａは白色の後に黒色が表示されており、印加電界の方向が正反対に変化している。画素４０Ａについては、印加電界が対称的でありＤＣバランスがとられている。一方、画素４０Ｂは白色だけが表示されており、印加電界が対称的でなく、ＤＣバランスがとられていない。電気泳動表示装置の長期信頼性を確保するためには、この例の画素４０Ａのように、反転表示を行う必要がある。
【００５６】
１．４．駆動方式
まず、制御部（図１の表示制御回路６０が対応）が表示部に画像を表示する制御を行うときのパルス信号の駆動方式について図４（Ａ）〜図７（Ｅ）を参照して説明する。
【００５７】
１．４．１．部分駆動方式
図４（Ａ）は部分駆動方式の波形図である。電気泳動表示装置では、応答速度を速めるために、表示部の全体を描画するのではなく、書き換え対象である一部を描画する場合がある。部分駆動方式によって、書き換え対象である一部の描画ができる。なお、図４（Ａ）のＶａ、Ｖｂ、Ｖｃｏｍは図３（Ｂ）〜図３（Ｃ）と同じであり、Ｖａ、Ｖｂ、Ｖｃｏｍはハイレベル（ＶＨ）、ローレベル（ＶＬ）、またはハイインピーダンス状態（Ｈｉ−Ｚ）をとり得る。
【００５８】
図４（Ａ）のＶｃｏｍは、共通電極への駆動パルス信号の例を示す。ここでのＶｃｏｍは、あるパルス幅Ｔ１（以下、単にＴ１とする）で第１の電位を共通電極に印加するパルスの後に、短いパルス幅Ｔ２（以下、単にＴ２とする）で第２の電位を共通電極に印加するパルス（逆電位駆動パルス）が続き、それが繰り返される。ただし、図４（Ａ）のように駆動停止の直前では例外的に第１の電位を共通電極に印加して終了する。パルス幅の短い逆電位駆動パルスにより、部分書き換えの際の駆動時間をより短縮することができる。ここで、白色表示をする場合には第１の電位はＶＨ（第２の電位はＶＬ）であり、黒色表示をする場合には第１の電位はＶＬ（第２の電位はＶＨ）である。また、例えば、Ｔ２はＴ１の１％〜１５％程の短い時間であってもよい。
【００５９】
この例では、画素４０Ａの画素電極に印加される電位Ｖａを与えるパルス信号は駆動パルス信号の反転信号である。また、画素４０Ｂの画素電極に印加される電位Ｖｂを与えるパルス信号は駆動パルス信号と同じ信号（正転信号）である。画素４０Ａと画素４０Ｂは例えば図３（Ｂ）で示された２つの画素である。画素４０Ａは、図４（Ａ）の「白色表示」と示された期間に黒色から白色へと書き換えられ、「黒色表示」と示された期間に白色
から黒色へと書き換えられる。一方、画素４０Ｂは、共通電極と画素電極との間に電界を生じないため書き換えが行われずに黒色表示を続ける。
【００６０】
図４（Ｂ）は、図４（Ａ）の例による画素４０Ａ、画素４０Ｂの色（反射率）の変化を示す図である。まず、画素４０Ａについて説明する。画素４０Ａは最初に黒色で表示されているものとする。「白色表示」のＴ１に対応する区間では、画素電極の電位はＶＬで共通電極の電位はＶＨであるため白色表示に近づく。しかし、「白色表示」のＴ２に対応する区間では、画素電極の電位はＶＨで共通電極の電位はＶＬであるため黒色表示に近づく。しかし、Ｔ１＞Ｔ２であるため、画素４０Ａは「白色表示」の期間の最後には白色で表示される。そして、画素４０ＡはＶｃｏｍの極性が反転した「黒色表示」の期間の最後には黒色で表示される。
【００６１】
一方、画素４０Ｂは、常にＶｃｏｍと同じ信号が画素電極に供給されているので電位差が生じることはなく当初からの黒色表示を続ける。このように部分駆動方式では、変化させたい画素のみを駆動することができ、画像の書き換えにおける応答速度を速めることができる。特に、パルス幅の短い逆電位駆動パルスを使用することで部分書き換えの際の駆動時間を短縮することができる。
【００６２】
なお、書き換え対象である一部を描画する場合に適していることから、このようなパルス信号の駆動方式を部分駆動方式と呼ぶ。しかし、部分駆動方式は、書き換え対象を表示部の一部の画素に限るものではない。そのため、表示部の全画素を、部分駆動方式で描画することが可能である。
【００６３】
１．４．２．部分駆動方式での問題
図５（Ａ）〜図５（Ｄ）は、部分駆動方式で一部の領域を書き換えた場合における局所的なコントラスト比の低下を説明する図である。図５（Ａ）〜図５（Ｃ）では、表示部３に時刻表示（「１０：０５」または「１０：０６」）が行われており、部分駆動方式で分一桁を含む領域５１を書き換えている。
【００６４】
図５（Ａ）では時刻１０：０５が表示されている。そして、時刻が１０：０６に変化するときに、図５（Ｂ）のように領域５１の分一桁の「５」を反転表示（白色に表示）して消去する。次に、図５（Ｃ）のように、白色を背景とする黒色の「６」が正転表示される。このとき、図５（Ａ）と図５（Ｂ）とでＤＣバランスがとられ、しかも表示部３の一部である領域５１の範囲で更新されるので更新表示に要する時間は短くてすむ。図５（Ａ）〜図５（Ｃ）のように時刻表示を部分駆動方式によって更新することで、ＤＣバランスをとって長期信頼性を確保し、早い更新表示が可能な電気泳動表示装置を実現できる。
【００６５】
しかし、このような更新表示を長期間続けると、局所的なコントラスト比の低下を生じることがある。この様子を表したのが図５（Ｄ）である。図５（Ｄ）では、表示部３の全面を白色表示しているが、領域５１においてコントラスト比の低下が生じている。そのため、領域５１の白色が他の領域（例えば領域５２）と異なっている。
【００６６】
ここで、局所的なコントラスト比の低下は、表示部３の一部の領域５１に電界を印加することを長い間繰り返すことで生じる。つまり、領域５１についての電圧の印加に用いる信号を駆動する回数と、領域５１以外の領域（例えば領域５２）についての駆動回数とが、時間の経過とともに大きく異なってくることで生じる。図５（Ｄ）のような局所的なコントラスト比の低下は、表示部３の表示品質を低下させてしまう。
【００６７】
１．４．３．全面駆動方式
図６（Ａ）は全面駆動方式の波形図である。電気泳動表示装置では、表示部の全体を描
画する全面駆動方式で画像を表示することもできる。このとき、表示部の一部の領域に電界を印加することを長い間繰り返すことがないので、部分駆動方式とは異なり、局所的なコントラスト比の低下を生じることはない。なお、図６（Ａ）のＶａ、Ｖｂ、ＶｃｏｍやＶＨ、ＶＬは、図３（Ａ）〜図４（Ｂ）と同じであり説明を省略する。
【００６８】
図６（Ａ）は、全面駆動方式によって、画素４０Ａを黒色から白色に、画素４０Ｂを白色から黒色に変化させる場合の波形図を示す。図６（Ａ）では表示色が変化する間、Ｖａはローレベル（ＶＬ）のままであり、Ｖｂはハイレベル（ＶＨ）のままである。そして、ＶｃｏｍはＶＬとＶＨとを等しい時間だけ繰り返している。つまり、図６（Ａ）のパルス幅Ｔ３（以下、単にＴ３とする）とパルス幅Ｔ４（以下、単にＴ４とする）とは等しい。
【００６９】
図６（Ｂ）は、図６（Ａ）の例による画素４０Ａ、画素４０Ｂの色（反射率）の変化を示す図である。画素４０Ａについては、最初に黒色で表示されている。図６（Ｂ）のＴ３に対応する区間では、画素電極の電位はＶＬで共通電極の電位はＶＨであるため白色表示に近づく。図６（Ｂ）のＴ４に対応する区間では、画素電極と共通電極に電位差が生じないので色は維持される。そして、最終的には画素４０Ａは黒色から白色に変化する。
【００７０】
一方、画素４０Ｂについては、最初に白色で表示されている。図６（Ｂ）のＴ３に対応する区間では、画素電極と共通電極に電位差が生じないので色は維持される。図６（Ｂ）のＴ４に対応する区間では、画素電極の電位はＶＨで共通電極の電位はＶＬであるため黒色表示に近づく。そして、最終的には画素４０Ｂは白色から黒色に変化する。
【００７１】
ここで、全面駆動方式では、表示部３の全画素の画素電極にＶＬまたはＶＨの電位が印加される。そして、表示部の一部の領域に対してのみ電界を印加することを長い間繰り返すことがないので、局所的なコントラスト比の低下を生じることはない。
【００７２】
なお、全面駆動方式では、表示部の全画素が描画の対象であり、表示部の一部の画素だけを書き換えることはできない。その名称の通り、表示部の全画素を描画することになる。
【００７３】
１．４．４．全面駆動方式での問題
図７（Ａ）〜図７（Ｅ）は全面駆動方式での残像の発生を説明する図である。まず、図７（Ａ）のように、表示部３を４つの領域（左上、右上、左下、右下）に分割し、左上の領域、右上の領域を特にそれぞれ領域Ｘ、領域Ｙとよぶことにする。ここで、図３（Ｂ）のように隣り合う画素４０Ａ、画素４０Ｂがあり、それぞれ領域Ｘ、領域Ｙに含まれるものとする。
【００７４】
図７（Ｂ）〜図７（Ｄ）は、全面駆動方式で画像を更新した様子を表す。まず、図７（Ｂ）では領域Ｘを含む表示部３の左半分が黒色で表示されており、領域Ｙを含む右半分が白色で表示されている。図７（Ｂ）は更新前の元画像であるとする。
【００７５】
ここで、表示画像の更新が行われ、更新後の画像は領域Ｘ、領域Ｙを含む上半分が黒色の画像であるとする。このとき、ＤＣバランスをとるために、まず図７（Ｃ）のように反転表示が行われる。つまり、図７（Ｃ）のように領域Ｘ、領域Ｙは白色で表示される。
【００７６】
その後、図７（Ｄ）のように領域Ｘ、領域Ｙを含む上半分が黒色の画像が表示されるが、領域Ｙの黒色と領域Ｘの黒色とは異なっている。図７（Ｄ）の例では、領域Ｙの黒色は領域Ｘの黒色よりも反射率が高い。このような反射率の違いにより、全面駆動方式によって画像を更新した場合に残像が発生することがある。
【００７７】
図７（Ｅ）は、領域Ｘに含まれる画素４０Ａと、領域Ｙに含まれる画素４０Ｂの反射率の変化を比較したものである。図７（Ｅ）の区間ＴBは図７（Ｂ）に、区間ＴCは図７（Ｃ）に、区間ＴDは図７（Ｄ）に対応する。まず、画素４０Ａは、最初（区間ＴB）は黒色であって、その後に白色、黒色と変化する（区間ＴC、ＴD）。この変化を（黒色、白色、黒色）のように表現する。すると、画素４０Ｂの変化は（白色、白色、黒色）と表すことができる。
【００７８】
ここで、全面駆動方式でパルス信号の駆動時間を十分長くした場合（ＴEX分だけＴDを延ばす場合）には画素４０Ａも画素４０Ｂも図７（Ｅ）の反射率ＲC（＝Ｒ1）に収束する。そのため、反射率に差が生じないので、残像が発生することもない。しかし、実際には表示画像の更新時間を短くするためにＴEX分の延長はない。すると、（黒色、白色、黒色）と変化する画素４０Ａは反射率ＲAに、（白色、白色、黒色）と変化する画素４０Ｂは反射率ＲBになるので、反射率に差が生じて残像が発生する。
【００７９】
よって、部分駆動方式ではなく、全面駆動方式を行った場合には、局所的なコントラスト比の低下は生じないが、別の問題として残像が発生するおそれがある。そのため、局所的なコントラスト比の低下や残像の問題を発生させない電気泳動表示装置の駆動方法が求められている。
【００８０】
１．５．本実施形態の表示例
本実施形態における表示例について図８（Ａ）〜図１３を参照して説明する。図８（Ａ）〜図８（Ｈ）は本実施形態の電気泳動表示装置の駆動方法の各工程に対応した表示例を表す。後述するように、本実施形態の電気泳動表示装置の駆動方法は４つの工程（第１画像表示工程、第１画像消去工程、第２画像表示工程、第２画像消去工程）を含むが、各工程はさらにサブ工程を含む。サブ工程では表示色が同じである領域ごとに所定の処理を行い、図８（Ａ）〜図８（Ｈ）の工程名にはサブ工程を区別するためにかっこ書きを付している（ＳＴ１およびＳＴ２）。
【００８１】
本実施形態では、表示部３は黒色（本発明の第１色に対応）、白色（本発明の第２色に対応）、グレー（本発明の中間色に対応）の３階調表示ができる。ここで、図８（Ａ）の直前は図８（Ｈ）のように表示部３の全面が白色であったとする。
【００８２】
まず、領域について説明する。図８（Ａ）〜図８（Ｈ）では表示部３は３つの領域に区分される。図８（Ａ）に示すように、最初に表示部３は３つの領域ａ０、ａ１、ａ２に分かれ、領域ごとに第１画像表示工程、第１画像消去工程の処理が実行される。第１画像表示工程で表示される第１の画像は領域ａ１および領域ａ２で構成されており、領域ａ０は第１の画像の背景である。前記の通り領域は表示色で定められ、第１の画像は黒色で表示される部分（領域ａ２）、グレーで表示される部分（領域ａ１）の２つに分かれる。
【００８３】
また、図８（Ｅ）に示すように、次に表示部３は３つの領域ａ３、ａ４、ａ５に分かれ、領域ごとに第２画像表示工程、第２画像消去工程の処理が実行される。第２画像表示工程で表示される第２の画像は領域ａ４および領域ａ５で構成されており、領域ａ３は第２の画像の背景である。第２の画像も、黒色で表示される部分（領域ａ５）、グレーで表示される部分（領域ａ４）の２つに分かれる。
【００８４】
図８（Ａ）〜図８（Ｂ）は、この表示例の第１画像表示工程をサブ工程ごとに示すものである。まず、図８（Ａ）のように、白色であった領域ａ２が黒色で表示される。このとき、図８（Ａ）の「−１００％」は、領域ａ２の画像を更新するのに用いた駆動パルス信号の駆動エネルギーを表している。そして、図８（Ｂ）のように、第１画像表示工程の次のサブ工程で、白色であった領域ａ１がグレーで表示される。このときの駆動エネルギー
は「−２５％」である。
【００８５】
ここで、駆動エネルギーについて図９〜図１０（Ｂ）を参照して説明する。まず、駆動エネルギーは共通電極と画素電極間の印加電圧と印加時間の積である。図９は、駆動エネルギーと反射率、すなわち表示色との関係を示す図である。図９のように、白色（Ｒ２）から黒色（Ｒ１）へと表示色を変化させる駆動エネルギーを「−１００％」、黒色から白色へと表示色を変化させる駆動エネルギーを「＋１００％」としている。正負号は電界の方向に対応したものである。
【００８６】
本実施形態の表示色であるグレーは白色と黒色の中間色である。そのため、白色または黒色からグレーへの変化、またはその逆の変化については、絶対値で１００％未満の駆動エネルギーを有する駆動パルス信号が用いられる。この表示例のグレーはライトグレーであって、白色からグレーへの変化またはその逆の変化については、絶対値で２５％の駆動エネルギーが必要であり、黒色からグレーへの変化またはその逆の変化については、絶対値で７５％の駆動エネルギーが必要である。
【００８７】
例えば、図９によると「−２５％」の駆動エネルギーを有する駆動パルス信号を用いると、白色からグレーへと表示を変化させることができる。つまり、図８（Ｂ）の領域ａ２の変化に対応している。
【００８８】
図１０（Ａ）〜図１０（Ｂ）は、駆動パルス信号の波形と駆動エネルギーの対応を説明するための図である。なお、Ｖｃｏｍ、Ｖａ、Ｔ１、Ｔ２等の符号は、図４（Ａ）と同じ要素を表しており説明を省略する。
【００８９】
図１０（Ａ）は例えばある工程における駆動パルス信号等を示している。このとき、黒色から白色へと表示が変化して（すなわち、駆動エネルギーが＋１００％で）、Ｔ２はＴ１に比べて無視できるほど小さい時間であるとする。このとき、印加電圧はＶ0であり、Ｔ２を無視すると、この工程における印加時間の合計は８×Ｔ１である。よって、駆動エネルギーを計算式で表すと、Ｅ（＋１００％）＝Ｖ0×８×Ｔ１となる。
【００９０】
これに対して、図１０（Ｂ）は別の工程における駆動パルス信号等を示している。このとき、駆動パルス信号は反転しており、電界の方向は図１０（Ａ）とは逆である。また、印加時間の合計は４×Ｔ１である。よって、同様に計算をすると、−Ｖ0×４×Ｔ１＝Ｅ（−５０％）となり、図１０（Ｂ）の駆動パルス信号の駆動エネルギーは−５０％である。
【００９１】
このように、パルス生成部（図１の共通電源変調回路６４が対応）はパルスの繰り返し回数、すなわち印加時間を調整することで、駆動エネルギーの異なる駆動パルス信号を生成できる。なお、ここでは例示しないが、上記の計算式から明らかなように、印加電圧を調整することでも駆動エネルギーの異なる駆動パルス信号を生成できる。また、印加時間と印加電圧を共に調整してもよい。そして、所望の駆動エネルギーを有する駆動パルス信号をパルス生成部が生成することで、図９に示したような中間色を含めた色表示の変化が可能になり、多階調表示に対応できる。
【００９２】
ここで、再び図８（Ａ）〜図８（Ｈ）の表示例に戻る。図８（Ａ）〜図８（Ｂ）の第１画像表示工程により、領域ａ１と領域ａ２で構成される第１の画像が表示される。図８（Ｃ）〜図８（Ｄ）は、この表示例の第１画像消去工程をサブ工程ごとに示すものである。図８（Ｃ）のサブ工程で白色であった領域ａ０が黒色で表示される。このとき、領域ａ０についての駆動エネルギーは「−１００％」である。そして、図８（Ｄ）のサブ工程で、第１の画像の中間色（グレー）の領域ａ１が黒色で表示される。このときの駆動エネルギ
ーは「−７５％」である。
【００９３】
図８（Ａ）〜図８（Ｄ）の工程を合わせると、表示部３の全画素が白色から黒色へと変化し、その表示色の変化に用いた駆動パルス信号の駆動エネルギーはどの領域についても（すなわちどの画素についても）「−１００％」である。つまり、第１画像消去工程で用いられる駆動パルス信号の駆動エネルギー（例えば領域ａ１の「−７５％」）は、第１画像表示工程で用いられる駆動パルス信号の駆動エネルギー（例えば領域ａ１の「−２５％」）と合わせると、白色から黒色へと遷移した場合に対応する駆動エネルギー（すなわち「−１００％」）となるように調整されている。
【００９４】
図８（Ｅ）〜図８（Ｆ）は、この表示例の第２画像表示工程をサブ工程ごとに示すものである。図８（Ｅ）では黒色であった領域ａ３が白色で表示される。このとき、図８（Ｅ）の「＋１００％」は、第２の画像の背景である領域ａ３を更新するのに用いた駆動パルス信号の駆動エネルギーを表している。そして、図８（Ｆ）のように、第２画像表示工程の次のサブ工程で、黒色であった領域ａ４がグレーで表示される。このときの駆動エネルギーは「＋７５％」である。
【００９５】
図８（Ｇ）〜図８（Ｈ）は、この表示例の第２画像消去工程をサブ工程ごとに示すものである。図８（Ｇ）では黒色であった領域ａ５が白色で表示される。このとき、図８（Ｇ）の「＋１００％」は、領域ａ５を更新するのに用いた駆動パルス信号の駆動エネルギーである。そして、図８（Ｈ）のように、第２画像消去工程の次のサブ工程で、グレーであった領域ａ４が白色で表示される。このときの駆動エネルギーは「＋２５％」である。そして、図８（Ｈ）のサブ工程の後、次の第１画像表示工程が実行される。
【００９６】
図８（Ｅ）〜図８（Ｈ）の工程を合わせると、表示部３の全画素が黒色から白色へと変化し、その表示色の変化に用いた駆動パルス信号の駆動エネルギーはどの領域についても（すなわちどの画素についても）「＋１００％」である。つまり、第２画像消去工程で用いられる駆動パルス信号の駆動エネルギー（例えば領域ａ４の「＋２５％」）は、第２画像表示工程で用いられる駆動パルス信号の駆動エネルギー（例えば領域ａ４の「＋７５％」）と合わせると、黒色から白色へと遷移した場合に対応する駆動エネルギー（すなわち「＋１００％」）となるように調整されている。
【００９７】
図８（Ａ）〜図８（Ｄ）の工程により駆動パルス信号の駆動エネルギーはどの画素についても「−１００％」である。一方、図８（Ｅ）〜図８（Ｈ）の工程により駆動パルス信号の駆動エネルギーはどの画素についても「＋１００％」である。よって、図８（Ａ）〜図８（Ｈ）の工程を合わせて考えると、駆動エネルギーの時間平均はゼロになり、ＤＣバランスがとれている。そして、表示部３の全体に均一に電界を印加することになるため、局所的なコントラスト比の低下は発生しない。
【００９８】
ここで、本実施形態の電気泳動表示装置の駆動方法において、４つの工程（第１画像表示工程、第１画像消去工程、第２画像表示工程、第２画像消去工程）のサブ工程の順番は任意でよい。図１１（Ａ）〜図１１（Ｈ）は本実施形態の別の表示例を示す図である。なお、図８（Ａ）〜図８（Ｈ）と同じ要素には同じ符号を付しており説明を省略する。
【００９９】
図１１（Ａ）〜図１１（Ｈ）の表示例では、図８（Ａ）〜図８（Ｈ）の各工程のサブ工程の順番を反対にしたものである。例えば、図１１（Ａ）の第１画像表示工程（ＳＴ１）は図８（Ｂ）の第１画像表示工程（ＳＴ２）の処理に対応し、図１１（Ｂ）の第１画像表示工程（ＳＴ２）は図８（Ａ）の第１画像表示工程（ＳＴ１）の処理に対応する。このように、サブ工程の順番を替えても、図１１（Ａ）〜図１１（Ｈ）の工程を合わせて考えると、駆動エネルギーの時間平均はゼロになり、ＤＣバランスがとれていることに変わりは
ない。そして、表示部３の全体に均一に電界を印加しており、局所的なコントラスト比の低下が発生しないことにも変わりはない。なお、階調数が多くなると領域の数が増加するが、この場合でもサブ工程の順番は任意でよい。
【０１００】
図８（Ａ）〜図８（Ｈ）、図１１（Ａ）〜図１１（Ｈ）の表示例では、１つの領域は連続した画素の集合で構成されていたが、領域の構成はこのようなものに限られない。図１２（Ａ）〜図１２（Ｉ）は、本実施形態の電気泳動表示装置の駆動方法によって、表示部３に時刻表示をする場合を示す。
【０１０１】
この例では、離れた場所にある画素の集合が１つの領域となり得る。例えば、図１２（Ｂ）の左図では表示部３に第１の画像「１０：０５」が表示されている。第１の画像のうち、黒色で表示された時分の数字部（１０  ０５）は１つの領域（以下、第１の領域とする）を構成する。そして、グレーで表示されたコロン（：）の部分も１つの領域（以下、第２の領域とする）である。また、第１の画像の背景（「１０：０５」以外の部分）も１つの領域（以下、第３の領域とする）である。以下に、図１２（Ａ）〜図１２（Ｉ）の表示について順に説明する。なお、図８（Ａ）〜図８（Ｈ）、図１１（Ａ）〜図１１（Ｈ）と同じ要素には同じ符号を付しており説明を省略する。
【０１０２】
図１２（Ａ）〜図１２（Ｉ）のそれぞれの左図は表示部３の表示画像を表し、右図は表示部３の表示を行うために駆動される画素を濃灰色（ダークグレー）で表した駆動画素１３を表す。駆動画素１３の下部には、全面駆動方式か部分駆動方式かの区別と、駆動画素１３の濃灰色（ダークグレー）で表された画素が白色、黒色、グレーのいずれの色で表示されるのか、および駆動エネルギーが示されている。
【０１０３】
図１２（Ａ）は、第１画像表示工程（ＳＴ１）を実行したときの表示部３の表示画像と、そのための駆動画素１３を表す。このサブ工程では、部分駆動方式によって、表示部３に第１の画像の一部である第１の領域（１０  ０５）を黒色で表示する。このとき、駆動エネルギーは「−１００％」である。なお、第１画像表示工程（ＳＴ１）の実行前は、表示部３は全面が白色の状態であったとする。
【０１０４】
図１２（Ｂ）は、第１画像表示工程（ＳＴ２）を実行したときの表示部３の表示画像と、そのための駆動画素１３を表す。このサブ工程では、部分駆動方式によって、第１の画像の一部である第２の領域（：）を白色からグレーへと変化させる。このとき、駆動エネルギーは「−２５％」である。そして、第１の画像である時刻「１０：０５」が表示部３に表示される。
【０１０５】
図１２（Ｃ）は、第１画像消去工程（ＳＴ１）を実行したときの表示部３の表示画像と、そのための駆動画素１３を表す。このサブ工程では、部分駆動方式によって、表示部３に第１の画像の背景である第３の領域を黒色で表示する。このとき、駆動エネルギーは「−１００％」である。
【０１０６】
図１２（Ｄ）は、第１画像消去工程（ＳＴ２）を実行したときの表示部３の表示画像と、そのための駆動画素１３を表す。このサブ工程では、部分駆動方式によって、第１の画像の一部である第２の領域（：）をグレーから黒色へと変化させる。このとき、駆動エネルギーは「−７５％」である。そして、表示部３は、全面が黒色の状態になる。
【０１０７】
図１２（Ｅ）〜図１２（Ｈ）では、第２の画像「１０：０６」の表示と消去を行うが、第２の画像のうち、時分の数字部（１０  ０６）を同じく第１の領域とし、コロン（：）も同じく第２の領域とする。そして、第２の画像の背景（「１０：０６」以外の部分）を第３の領域とする。
【０１０８】
図１２（Ｅ）は、第２画像表示工程（ＳＴ１）を実行したときの表示部３の表示画像と、そのための駆動画素１３を表す。このサブ工程では、部分駆動方式によって、表示部３に第２の画像の背景である第３の領域を白色で表示する。このとき、駆動エネルギーは「＋１００％」である。
【０１０９】
図１２（Ｆ）は、第２画像表示工程（ＳＴ２）を実行したときの表示部３の表示画像と、そのための駆動画素１３を表す。このサブ工程では、部分駆動方式によって、第２の画像の一部である第２の領域（：）を黒色からグレーへと変化させる。このとき、駆動エネルギーは「＋７５％」である。そして、第２の画像である時刻「１０：０６」が表示部３に表示される。
【０１１０】
図１２（Ｇ）は、第２画像消去工程（ＳＴ１）を実行したときの表示部３の表示画像と、そのための駆動画素１３を表す。このサブ工程では、部分駆動方式によって、表示部３に第２の画像の一部である第１の領域を白色で表示する。このとき、駆動エネルギーは「＋１００％」である。
【０１１１】
図１２（Ｈ）は、第２画像消去工程（ＳＴ２）を実行したときの表示部３の表示画像と、そのための駆動画素１３を表す。このサブ工程では、部分駆動方式によって、第２の画像の一部である第２の領域（：）をグレーから白色へと変化させる。このとき、駆動エネルギーは「＋２５％」である。そして、表示部３は、全面が白色の状態になる。
【０１１２】
図１２（Ａ）〜図１２（Ｈ）の例では、１分おきに表示される時刻が変化するように各工程が実行される。例えば、時刻表示「１０：０５」が表示（図１２（Ｂ））されてから１分後に、時刻表示「１０：０６」が表示される（図１２（Ｆ））。そして、図１２（Ｈ）のサブ工程の後で、第１の画像を「１０：０７」とする次の第１画像表示工程（ＳＴ１）が実行される（図１２（Ｉ））。
【０１１３】
これらの工程（第１画像表示工程、第１画像消去工程、第２画像表示工程、第２画像消去工程）は、全て部分駆動方式であり、全面駆動方式に比べて表示画像の更新処理の時間を短くできる。また、全面駆動方式での残像の問題（図７（Ｅ）参照）も生じない。
【０１１４】
そして、図１２（Ａ）〜図１２（Ｈ）の工程を合わせて考えると、駆動エネルギーの時間平均はゼロになり、ＤＣバランスがとれている。さらに、表示部３の全体に均一に電界を印加することになるため、局所的なコントラスト比の低下は発生しない。
【０１１５】
以上のように、本実施形態によると、多階調表示でありながら、ＤＣバランスをとりつつ、局所的なコントラスト比の低下を生じさせない電気泳動表示装置を実現できる。そのため、長期信頼性を確保でき、表示品質や表現力を向上させることができる。
【０１１６】
なお、本実施形態では階調数は３であるとして説明したが、同様の手法によって４階調以上に容易に拡張できる。図１３は、表示色として黒色（Ｒ１）、白色（Ｒ２）、グレー（Ｒ３）だけでなくダークグレー（Ｒ４）も加えた場合の、駆動エネルギーと反射率の関係を示す図である。なお、図１３に記載された符号は図９と同じであり説明を省略する。
【０１１７】
このとき、例えば、第１画像表示工程で駆動エネルギーが「−７５％」の駆動パルス信号によって表示色をダークグレーとし、第１画像消去工程で駆動エネルギーが「−２５％」の駆動パルス信号によって表示色を黒色とすることができる。そのため、ダークグレーが追加されても、第１実施形態と同じ手法でＤＣバランスをとることができる。
【０１１８】
１．６．フローチャート
本実施形態の電気泳動表示装置の制御部が行う制御処理をまとめると図１４〜図１６（Ｂ）のフローチャートのようになる。
【０１１９】
図１４は全体的な制御処理を表す。図１４の通り、第１画像表示工程（Ｓ２）、第１画像消去工程（Ｓ４）、第２画像表示工程（Ｓ６）、第２画像消去工程（Ｓ８）が順に実行され、これら４つの工程でＤＣバランスがとられる。そして、第２画像消去工程（Ｓ８）の後で、次の第１画像表示工程（Ｓ２）が実行される。
【０１２０】
図１５（Ａ）〜図１６（Ｂ）は図１４のそれぞれの工程の詳細を表すフローチャートである。
【０１２１】
図１５（Ａ）は第１画像表示工程（Ｓ２）の詳細を表す。まず、表示すべき第１の画像を、黒色、グレーの表示色ごとにＮ1個の領域に分割し、各領域に１〜Ｎ1の番号を付す（Ｓ２０）。図１２（Ａ）〜図１２（Ｉ）の例では、中間色であるグレーは１種類であり、２つの表示色（黒色、グレー）があるのでＮ1＝２である。すなわち、第１の画像は２つの領域（前記の第１の領域、第２の領域が対応）に分割される。
【０１２２】
そして、処理対象の領域の番号を表すパラメーター“ｉ”に１をセットする（Ｓ２２）。図１２（Ａ）〜図１２（Ｉ）の例では、パラメーター“ｉ”が１である場合に第１の領域が処理対象となり、パラメーター“ｉ”が２である場合に第２の領域が処理対象となる。
【０１２３】
続いて、処理対象の領域が表示すべき色と白色との差に対応する駆動エネルギーを有する駆動パルスで電気泳動粒子を移動させる（Ｓ２４）。図１２（Ａ）〜図１２（Ｉ）の例では、パラメーター“ｉ”が１である場合、第１の領域（１０  ０５）が黒色で表示される。そして、パラメーター“ｉ”が２である場合、第２の領域（：）がグレーで表示される。
【０１２４】
そして、パラメーター“ｉ”がＮ1に等しいかが判断される（Ｓ２６）。もし、等しいならば（Ｓ２６：Ｙｅｓ）、第１の画像が表示されたので、第１画像表示工程を終了する。等しくないならば（Ｓ２６：Ｎｏ）、パラメーター“ｉ”をインクリメントして（Ｓ２８）、表示されていない領域の処理を実行するためステップＳ２４に戻る。
【０１２５】
図１５（Ｂ）は第１画像消去工程（Ｓ４）の詳細を表す。まず、第１の画像の背景である領域と、第１の画像でグレーのＮ1−１個の領域に、１〜Ｎ1の番号を付す（Ｓ４０）。図１２（Ａ）〜図１２（Ｉ）の例では、Ｎ1＝２であって、第１の画像の背景である第３の領域と、グレーで表示される第２の領域が対象となる。
【０１２６】
そして、処理対象の領域の番号を表すパラメーター“ｉ”に１をセットする（Ｓ４２）。これは、前記のステップＳ２２と同じであり例示を省略する。
【０１２７】
続いて、番号が“ｉ”の領域に含まれる画素について、その領域が表示している色と黒色との差に対応する駆動エネルギーを有する駆動パルスで電気泳動粒子を移動させる（Ｓ４４）。図１２（Ａ）〜図１２（Ｉ）の例では、パラメーター“ｉ”が１である場合、第３の領域（「１０：０５」以外の部分）が黒色で表示される。そして、パラメーター“ｉ”が２である場合、第２の領域（：）がグレーから黒色へと変化する。
【０１２８】
そして、パラメーター“ｉ”がＮ1に等しいかが判断される（Ｓ４６）。もし、等しいならば（Ｓ４６：Ｙｅｓ）、表示部３は全面が黒色の状態になっているので、第１画像消
去工程を終了する。等しくないならば（Ｓ４６：Ｎｏ）、パラメーター“ｉ”をインクリメントして（Ｓ４８）、消去されていない領域の処理を実行するためステップＳ４４に戻る。
【０１２９】
図１６（Ａ）は第２画像表示工程（Ｓ６）の詳細を表す。まず、表示すべき第２の画像の背景となる領域と、表示すべき第２の画像のグレーのＮ2−１個の領域に、１〜Ｎ2の番号を付す（Ｓ６０）。ここで、Ｎ2は前記のＮ1とは無関係であるが、図１２（Ａ）〜図１２（Ｉ）の例ではＮ2＝２であり、第２の画像の背景である第３の領域と、グレーで表示される第２の領域が対象となる。
【０１３０】
そして、処理対象の領域の番号を表すパラメーター“ｉ”に１をセットする（Ｓ６２）。これは、前記のステップＳ２２と同じであり例示を省略する。
【０１３１】
続いて、番号が”ｉ”の領域に含まれる画素について、その領域が表示すべき色と黒色との差に対応する駆動エネルギーを有する駆動パルスで電気泳動粒子を移動させる（Ｓ６４）。図１２（Ａ）〜図１２（Ｉ）の例では、パラメーター“ｉ”が１である場合、第３の領域（「１０：０６」以外の部分）が白色で表示される。そして、パラメーター“ｉ”が２である場合、第２の領域（：）がグレーで表示される。
【０１３２】
そして、パラメーター“ｉ”がＮ2に等しいかが判断される（Ｓ６６）。もし、等しいならば（Ｓ６６：Ｙｅｓ）、第２の画像が表示されたので、第２画像表示工程を終了する。等しくないならば（Ｓ６６：Ｎｏ）、パラメーター“ｉ”をインクリメントして（Ｓ６８）、表示されていない領域の処理を実行するためステップＳ６４に戻る。
【０１３３】
図１６（Ｂ）は第２画像消去工程（Ｓ８）の詳細を表す。まず、第２の画像を、黒色、グレーの表示色ごとにＮ2個の領域に分割し、１〜Ｎ2の番号を付す（Ｓ８０）。図１２（Ａ）〜図１２（Ｉ）の例では、第２の画像は２つの領域（前記の第１の領域、第２の領域が対応）に分割される。
【０１３４】
そして、処理対象の領域の番号を表すパラメーター“ｉ”に１をセットする（Ｓ８２）。これは、前記のステップＳ２２と同じであり例示を省略する。
【０１３５】
続いて、番号が”ｉ”の領域に含まれる画素について、その領域が表示している色と白色との差に対応する駆動エネルギーを有する駆動パルスで電気泳動粒子を移動させる。（Ｓ８４）。図１２（Ａ）〜図１２（Ｉ）の例では、パラメーター“ｉ”が１である場合、第１の領域（１０  ０６）が白色で表示される。そして、パラメーター“ｉ”が２である場合、第２の領域（：）がグレーから白色へと変化する。
【０１３６】
そして、パラメーター“ｉ”がＮ2に等しいかが判断される（Ｓ８６）。もし、等しいならば（Ｓ８６：Ｙｅｓ）、表示部３は全面が白色の状態になっているので、第２画像消去工程を終了する。等しくないならば（Ｓ８６：Ｎｏ）、パラメーター“ｉ”をインクリメントして（Ｓ８８）、消去されていない領域の処理を実行するためステップＳ８４に戻る。
【０１３７】
以上のような電気泳動表示装置の駆動方法に従うことで、多階調表示でありながら、ＤＣバランスをとりつつ、局所的なコントラスト比の低下を生じさせない電気泳動表示装置を実現できる。そのため、長期信頼性を確保でき、表示品質や表現力を向上させることができる。
【０１３８】
２．第２実施形態
本発明の第２実施形態について図１７（Ａ）〜図１８を参照して説明する。なお、図１〜図１６（Ｂ）と同じ要素については同じ符号を付しており説明を省略する。
【０１３９】
２．１．パターン境界線
第１実施形態では、局所的なコントラスト比の低下を防ぐために、第１の画像（または第２の画像）と、第１の画像の背景（または第２の画像の背景）を異なる２つの工程で駆動する。しかし、例えば電気泳動粒子のうち最後に駆動された粒子（例えば黒色）の方が広がる性質等によって、第１の画像（または第２の画像）の輪郭部分に生じる境界線（以下、パターン境界線）が視認される場合がある。
【０１４０】
例えば、第１画像表示工程が長時間続いた場合に、第１の画像の輪郭を超えて背景の一部まで黒色が広がる可能性がある。続く第１画像消去工程では、第１の画像の背景が黒色で表示される。しかし、既に黒色が広がった背景の一部を黒色表示した場合の反射率と、それ以外（白色）の背景を黒色表示した場合の反射率とが異なるため、パターン境界線が視認される可能性がある。第２実施形態では、このようなパターン境界線が万一発生しても、目立ちにくくすることができるため、さらに表示品質を向上させることができる。
【０１４１】
２．２．本実施形態の表示例
図１７（Ａ）〜図１７（Ｆ）は本実施形態の表示例を表す。図１７（Ａ）〜図１７（Ｊ）の工程名は、後述するフローチャートの工程名に対応するものである。なお、図１２（Ａ）〜図１２（Ｉ）と同じ要素には同じ符号を付している。また、重複説明を避けるため、図１２（Ａ）〜図１２（Ｉ）と異なる工程についてのみ説明する。
【０１４２】
本実施形態では、図１７（Ｅ）のように表示部３の全画素を黒色（第１色に対応）で表示させる第１単一色表示工程と、図１７（Ｊ）のように表示部３の全画素を白色（第２色に対応）で表示させる第２単一色表示工程とを含む。なお、図１７（Ａ）〜図１７（Ｄ）の各工程、図１７（Ｆ）〜図１７（Ｉ）の各工程は、それぞれ図１２（Ａ）〜図１２（Ｄ）の各工程、図１２（Ｅ）〜図１２（Ｈ）の各工程と、表示部３の表示画像および駆動画素１３が同じであるので説明を省略する。
【０１４３】
図１７（Ｅ）の第１単一色表示工程は、図１７（Ｄ）の第１画像消去工程（ＳＴ２）の後に、部分駆動方式で表示部３の全画素を黒色にする。このとき、図１７（Ｄ）の第１画像消去工程（ＳＴ２）で生じる可能性のあるパターン境界線を目立たなくすることができる。
【０１４４】
また、図１７（Ｊ）の第２単一色表示工程は、図１７（Ｉ）の第２画像消去工程（ＳＴ２）の後に、部分駆動方式で表示部３の全画素を白色にする。このとき、図１７（Ｉ）の第２画像消去工程（ＳＴ２）で生じる可能性のあるパターン境界線を目立たなくすることができる。
【０１４５】
本実施形態の電気泳動表示装置の駆動方法では、第１単一色表示工程および第２単一色表示工程を含むことで、第１の画像や第２の画像の輪郭部分に生じる境界線（パターン境界線）がある場合にも、パターン境界線を目立たなくすることができる。なお、本発明の電気泳動表示装置の駆動方法では、第１単一色表示工程と第２単一色表示工程とでＤＣバランスがとられることになる。つまり、第１単一色表示工程と第２単一色表示工程とで絶対値が等しい駆動エネルギーの駆動パルスが使用されることになる。例えば、第１単一色表示工程では「−５％」で、第２単一色表示工程では「＋５％」であってもよい。
【０１４６】
２．３．フローチャート
本実施形態の電気泳動表示装置の制御部が行う制御処理は、図１８のフローチャートの
通りである。なお、図１４と同じステップ（工程）には同じ符号を付しており詳細な説明を省略する。また、第１画像表示工程、第１画像消去工程、第２画像表示工程、第２画像消去工程の詳細なステップは、図１５（Ａ）〜図１６（Ｂ）のフローチャートの通りであり、ここでは説明を省略する。
【０１４７】
本実施形態では、第１の画像を表示させる第１画像表示工程（Ｓ２）が実行される。そして、第１の画像の中間色で表示された領域と第１の画像の背景である領域について所定の処理を実行して表示部全体を第１色にする第１画像消去工程（Ｓ４）が実行される。このとき、第１画像消去工程でパターン境界線が生じる可能性がある。そこで、パターン境界線を目立たなくするために、表示部全体を第１色にする第１単一色表示工程が実行される（Ｓ５）。本実施形態では、部分駆動方式で表示部全体を第１色にする。
【０１４８】
その後、第２の画像の背景である領域と第２の画像の中間色で表示される領域について所定の処理を実行して、第２の画像を表示させる第２画像表示工程（Ｓ６）が実行される。そして、第２の画像について所定の処理を実行することで表示部全体を第２色にする第２画像消去工程（Ｓ８）が実行される。このとき、第２画像消去工程でパターン境界線が生じる可能性がある。そこで、パターン境界線を目立たなくするために、表示部全体を第２色にする第２単一色表示工程が実行される（Ｓ９）。本実施形態では、部分駆動方式で表示部全体を第２色にする。そして、第２単一色表示工程（Ｓ９）の後は、第１画像表示工程（Ｓ２）に戻る。
【０１４９】
以上のように、本実施形態では、ＤＣバランスをとりつつ、画面全体の駆動回数を一様にすることで局所的なコントラスト比の低下を回避できる多階調表示が可能な電気泳動表示装置、電気泳動表示装置の駆動方法を実現する。そして、万一パターン境界線が生じても消去を行い、表示品質を向上させることができる。
【０１５０】
３．適用例
本発明の適用例について図１９〜図２０（Ｂ）を参照して説明する。なお、図１〜図１８と同じ要素については同一符号を付して説明を省略する。第１〜第２実施形態の電気泳動表示装置は、例えば時刻表示を行う電子時計などの電子機器に適用できる。
【０１５１】
３．１．電子機器のブロック図
図１９は適用例に係る電子機器１のブロック図である。電子機器１は、ＣＰＵ２、入力部４、記憶部５、電気泳動表示装置１０を含む。電気泳動表示装置１０は、第１〜第２実施形態の電気泳動表示装置であって、様々な画像を表示する表示部３を含む。
【０１５２】
ＣＰＵ２は、他のブロックを制御し様々な演算や処理を行う。ＣＰＵ２は、例えば記憶部５からプログラムを読み込み、プログラムに従って電気泳動表示装置１０に時刻信号などを入力してもよい。
【０１５３】
入力部４は、例えば電子機器１の使用者からの指示を受け取り、指示に応じた信号を他のブロックに出力してもよい。
【０１５４】
記憶部５は、例えばＤＲＡＭやＳＲＡＭなどのメモリーであってもよいし、ＲＯＭを含んでいてもよい。ＣＰＵ２が使用するプログラムは、例えば記憶部５が含むＲＯＭに書かれていてもよい。
【０１５５】
表示部３は、電気泳動表示装置１０の一部であって、例えば時刻を表示したり、文字、写真などを表示したりしてもよい。
【０１５６】
電子機器１は、第１〜第２実施形態の電気泳動表示装置１０を含むことで、ＤＣバランスをとりつつ、局所的なコントラスト比の低下を生じさせない、多階調表示が可能になる。そのため、長期的信頼性に優れ、表示品質がよく、表現力に優れた電子機器１を実現できる。
【０１５７】
３．２．電子機器の具体例
図２０（Ａ）〜図２０（Ｂ）に、電子機器の具体例を示す。図２０（Ａ）は電子機器の１つである電子時計１０００の正面図である。電子時計１０００は、例えば腕時計であり、時計ケース１００２と、時計ケース１００２に連結された一対のバンド１００３とを備える。時計ケース１００２の正面には、電気泳動表示装置１０の表示部３（図１９参照）である表示部１００４が設けられ、時刻表示１００５を行っている。時計ケース１００２の側面には、２つの操作ボタン１０１１と１０１２とが設けられ、入力部４（図１９参照）として機能する。
【０１５８】
また、図２０（Ｂ）は電子機器の１つである電子ペーパー１１００の斜視図である。電子ペーパー１１００は可撓性を有し、電気泳動表示装置１０の表示部３（図１９参照）である表示領域１１０１と、本体１１０２とを備えている。
【０１５９】
第１〜第２実施形態の電気泳動表示装置は、これらの具体例を含む、様々な電子機器に適用できる。そして、そのような電子機器は、ＤＣバランスが取れていることで表示部の長期信頼性を確保できる。また、局所的なコントラスト比の低下を生じさせない、多階調表示が可能であるため、表示品質がよく、表現力に優れている。
【０１６０】
４．その他
前記の実施形態においては、電気泳動表示装置は、黒粒子および白粒子による白黒二粒子系の電気泳動が行われるものに限られず、青白等の一粒子系の電気泳動を行っても良く、また、白黒以外の組み合わせでも構わない。
【０１６１】
そして、電気泳動表示装置に限らず、メモリー性の表示手段に前記の駆動方法が適用されてもよい。例えば、ＥＣＤ（Electrochromic Display＝エレクトロクロミックディスプレイ）、強誘電性液晶ディスプレイ、コレステリック液晶ディスプレイ等である。
【０１６２】
さらに、前記の適用例の電子時計は、腕時計に限らず、置き時計、掛け時計、懐中時計などの時計機能を有する機器に広く適用できる。
【０１６３】
これらの例示に限らず、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【０１６４】
１  電子機器、２  ＣＰＵ、３  表示部、４  入力部、５  記憶部、１０  電気泳動表示装置、１３  駆動画素、３５  画素電極、３５Ａ  画素電極、３５Ｂ  画素電極、３７  共通電極、４０  画素、４０Ａ  画素、４０Ｂ  画素、４８  駆動用ＴＦＴ、４９  低電位電源線（Ｖｓｓ）、５０  高電位電源線（Ｖｄｄ）、５１  領域、５２  領域、５５  共通電極配線（Ｖｃｏｍ）、６０  表示制御回路、６１  走査線駆動回路、６２  データ線駆動回路、６３  コントローラー、６４  共通電源変調回路、６６  走査線、６８  データ線、７０  ラッチ回路、７０ｆ  帰還インバーター、７０ｔ  転送インバーター、８
０  スイッチ回路、９１  第１のパルス信号線（Ｓ１）、９２  第２のパルス信号線（Ｓ２）、１２０  マイクロカプセル、１２６  黒色粒子、１２７  白色粒子、１３０  素子基板、１３１  対向基板、１３２  電気泳動素子、１６０  記憶部、３５０  駆動電極層、３６０  電気泳動表示層、３７０  共通電極層、１０００  電子時計、１００２  時計ケース、１００３  バンド、１００４  表示部、１００５  時刻表示、１０１１  操作ボタン、１１００  電子ペーパー、１１０１  表示領域、１１０２  本体
【図１】
2014056038.tif 000003
【図２】
2014056038.tif 000004
【図３】
2014056038.tif 000005
【図４】
2014056038.tif 000006
【図５】
2014056038.tif 000007
【図６】
2014056038.tif 000008
【図９】
2014056038.tif 000009
【図１０】
2014056038.tif 000010
【図１３】
2014056038.tif 000011
【図１４】
2014056038.tif 000012
【図１５】
2014056038.tif 000013
【図１６】
2014056038.tif 000014
【図１９】
2014056038.tif 000015
【図２０】
2014056038.tif 000016
【図７】
2014056038.tif 000017
【図８】
2014056038.tif 000018
【図１１】
2014056038.tif 000019
【図１２】
2014056038.tif 000020
【図１７】
2014056038.tif 000021
【図１８】
2014056038.tif 000022